【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
無線チャネルにアクセスするためのユーザ端末において実施される方法であって、
ランダムアクセスチャネル無線リソースを使用して、ランダムアクセスプリアンブルを含むランダムアクセスリクエストメッセージを無線基地局に送信するステップと、
タイミングの変化と、識別された無線リソースと、ユーザ端末識別情報とを示すランダムアクセスレスポンスメッセージを前記無線基地局から受信するステップと、
前記受信したランダムアクセスレスポンスメッセージに含まれている前記ユーザ端末識別情報に基づいて、アップリンク・スクランブリング・シーケンスの第１セットの１つを選択するステップと、
前記ランダムアクセスレスポンスメッセージに含まれて受信された情報に基づいて、前記無線基地局に対して前記ユーザ端末が信号を送信するタイミングを調整するステップと、
前記調整されたタイミングに基づいて、ユーザ端末識別情報を含む第３のメッセージを前記無線基地局に対して前記識別された無線リソースを介して送信するステップであって、前記第３のメッセージは前記第１セットに含まれているアップリンク・スクランブリング・シーケンスのうちから選択された１つのアップリンク・スクランブリング・シーケンスを使用してスクランブルされている、ステップと、
前記無線基地局からコンテンションリゾリューションメッセージを受信するステップと
を含むことを特徴とする方法。
【請求項２】
ランダムアクセスリクエストメッセージを前記無線基地局へ送信した後で、ユーザ端末に対して特別に割り当てることが可能なアップリンク・スクランブリング・シーケンスの第２セットから選択されたユーザ端末固有のアップリンク・スクランブリング・シーケンスを前記無線基地局から受信するステップをさらに含み、
前記ユーザ端末は、前記無線基地局との以降の通信において、前記選択されたユーザ端末固有のアップリンク・スクランブリング・シーケンスを使用する
ことを特徴とする請求項１に記載の方法。
【請求項３】
前記第１セットのアップリンク・スクランブリング・シーケンスは、前記無線基地局に関連付けられたセルに対応するユーザ端末固有のアップリンク・スクランブリング・シーケンスであることを特徴とする請求項１に記載の方法。
【請求項４】
前記第１セットに含まれているアップリンク・スクランブリング・シーケンスは、対応するユーザ端末識別情報にマッピングされ、
前記方法はさらに、
前記マッピングに基づいて、前記第１セットから前記１つのアップリンク・スクランブリング・シーケンスを選択するステップ
を含むことを特徴とする請求項１に記載の方法。
【請求項５】
前記無線基地局に関連付けられているセルエリアまたはランダムアクセスチャネルに特別に関連付けられているもののいずれのユーザ端末にも特別に割り当てられない１つのアップリンク・リファレンス・シーケンスの第１セットから１つのアップリンク・リファレンス・シーケンスを選択するステップと、
前記選択された１つのアップリンク・スクランブリング・シーケンスと、前記１つのアップリンク・リファレンス・シーケンスとを使用してランダムアクセスメッセージを生成する生成ステップと、
前記ランダムアクセスメッセージを送信するステップと
をさらに含むことを特徴とする請求項１に記載の方法。
【請求項６】
無線チャネルを介して無線基地局にサービスを要求するユーザ端末に対してレスポンスを返す該無線基地局において実施される方法であって、
ランダムアクセスチャネル無線リソースを使用して、ランダムアクセスプリアンブルを含むランダムアクセスリクエストメッセージを受信するステップと、
タイミングの変化と、識別された無線リソースと、ユーザ端末識別情報とを示すランダムアクセスレスポンスメッセージを前記ユーザ端末に送信するステップと、
前記ユーザ端末識別情報を使用して、アップリンク・スクランブリング・シーケンスのセットから選択された１つのアップリンク・スクランブリング・シーケンスを使用してスクランブルされている第３のメッセージであって、ユーザ端末識別情報を含む当該第３のメッセージを、前記識別された無線リソースを介して受信するステップと、
前記ユーザ端末に対してコンテンションリゾリューションメッセージを送信するステップと
を含むことを特徴とする方法。
【請求項７】
無線通信サービスを提供するエリアであるセルエリアを有する無線基地局に対してサービスを要求するユーザ端末であって、
ランダムアクセスチャネル無線リソースを使用して、ランダムアクセスプリアンブルを含むランダムアクセスリクエストメッセージを前記無線基地局に送信する無線送信部と、
タイミングの変化と、識別された無線リソースと、ユーザ端末識別情報とを示すランダムアクセスレスポンスメッセージを前記無線基地局から受信する無線受信部と、
前記受信したランダムアクセスレスポンスメッセージに含まれている前記ユーザ端末識別情報に基づいて、アップリンク・スクランブリング・シーケンスの第１セットの１つを選択するとともに、前記ランダムアクセスレスポンスメッセージに含まれて受信された情報に基づいて、前記無線基地局に対して前記ユーザ端末が信号を送信するタイミングを調整する電子処理回路と
を備え、
前記無線送信部は、前記調整されたタイミングに基づいて、ユーザ端末識別情報を含む第３のメッセージを前記無線基地局に対して前記識別された無線リソースを介して送信するように構成されており、前記第３のメッセージは前記第１セットに含まれているアップリンク・スクランブリング・シーケンスのうちから選択された１つのアップリンク・スクランブリング・シーケンスを使用してスクランブルされ、
前記無線受信部は、前記無線基地局からコンテンションリゾリューションメッセージを受信するように構成されている
ことを特徴とするユーザ端末。
【請求項８】
前記第１セットのアップリンク・スクランブリング・シーケンスは、前記無線基地局のセルエリアまたは前記無線基地局に関連付けられたランダムアクセスチャネルに特別に関連付けられているもののいずれのユーザ端末にも特別に割り当てられないアップリンク・スクランブリング・シーケンスであり、
前記電子処理回路は、ユーザ端末に対して特別に割り当てることが可能なアップリンク・スクランブリング・シーケンスの第２セットから、第２のタイプの異なるアップリンク・スクランブリング・シーケンスを選択するように構成されている
ことを特徴とする請求項７に記載のユーザ端末。
【請求項９】
前記電子処理回路は、
前記第１セットに含まれているアップリンク・スクランブリング・シーケンスを、対応するユーザ端末識別情報にマッピングし、
前記マッピングに基づいて、前記第１セットから前記１つのアップリンク・スクランブリング・シーケンスを選択する
ことを特徴とする請求項７に記載のユーザ端末。
【請求項１０】
前記電子処理回路は、
無線基地局のセルエリアまたはランダムアクセスチャネルに特別に関連付けられているもののいずれのユーザ端末にも特別に割り当てられない１つのアップリンク・リファレンス・シーケンスの第１セットから１つのアップリンク・リファレンス・シーケンスを選択し、
前記選択された１つのアップリンク・スクランブリング・シーケンスと、前記１つのアップリンク・リファレンス・シーケンスとを使用してランダムアクセスメッセージを生成するように構成されており、
前記無線送信部は、前記ランダムアクセスメッセージを前記無線基地局へ送信するように構成されていることを特徴とする請求項７に記載のユーザ端末。
【請求項１１】
前記ユーザ端末は、ロングタームエヴォリューション（ＬＴＥ）無線通信ネットワークと通信するように構成されており、
前記無線送信部は、ランダムアクセスチャネル（ＲＡＣＨ）を介して、前記ランダムアクセスリクエストメッセージを送信し、アップリンク共用チャネル（ＵＬ＿ＳＣＨ）を介して前記第３のメッセージを送信するように構成されている
ことを特徴とする請求項７に記載のユーザ端末。
【請求項１２】
前記ユーザ端末識別情報は、前記ユーザ端末に対して無線ネットワーク端末識別情報（ＲＮＴＩ）が割り当てられるまでの間に暫定的に使用される一次ユーザ端末識別情報であることを特徴とする請求項１１に記載のユーザ端末。
【請求項１３】
無線チャネルを介して無線基地局にサービスを要求するユーザ端末に対してレスポンスを返す該無線基地局であって、
ランダムアクセスチャネル無線リソースを使用して、ランダムアクセスプリアンブルを含むランダムアクセスリクエストメッセージを受信し、
タイミングの変化と、識別された無線リソースと、ユーザ端末識別情報とを示すランダムアクセスレスポンスメッセージを前記ユーザ端末に送信し、
前記ユーザ端末識別情報を使用して、アップリンク・スクランブリング・シーケンスのセットから選択された１つのアップリンク・スクランブリング・シーケンスを使用してスクランブルされている第３のメッセージであって、ユーザ端末識別情報を含む当該第３のメッセージを、前記識別された無線リソースを介して受信し、
前記ユーザ端末に対してコンテンションリゾリューションメッセージを送信する
ように構成された回路を備えることを特徴とする無線基地局。
【請求項１４】
前記無線基地局は、ロングタームエヴォリューション（ＬＴＥ）無線通信ネットワークの一部をなしており、前記ランダムアクセスリクエストメッセージは、ランダムアクセスチャネル（ＲＡＣＨ）を介して受信され、前記第３のメッセージは、アップリンク共用チャネル（ＵＬ＿ＳＣＨ）を介して受信される
ことを特徴とする請求項１３に記載の無線基地局。
【請求項１５】
前記ユーザ端末識別情報は、前記ユーザ端末に対して無線ネットワーク端末識別情報（ＲＮＴＩ）が割り当てられるまでの間に暫定的に使用される一次ユーザ端末識別情報であることを特徴とする請求項１４に記載の無線基地局。
【請求項１６】
前記１つのアップリンク・スクランブリング・シーケンスは、前記ユーザ端末識別情報を使用して選択されることを特徴とする請求項１３に記載の無線基地局。